(57)【要約】【課題】保守点検作業において作業タグを的確に効率よく発行、回収管理し、隔離処理の作業記録を迅速に収集できるプラント設備管理保守支援システムを提供する。【解決手段】現場保守支援サーバ計算機３００は、図面ＤＢ２０３を利用して保守点検の要領書の作成を支援する。作業管理サーバ計算機２００は、要領書に記載の点検・隔離情報にもとづいて、点検・隔離表示のためのＲＦＩＤタグ１６Ａを貼付された作業タグ１５の発行を支援する。携帯端末装置１３は、ＲＦＩＤタグ１６ＡのＩＤ情報を読み出して隔離箇所の隔離処理、復旧の作業記録を作成し、ネットワーク５およびネットワーク３を介して、作業管理サーバ計算機２００に送り、点検・隔離ＤＢ２０７の点検・隔離情報を迅速に更新可能とする。【選択図】図１
2008191725.tif 000002
【特許請求の範囲】
【請求項１】
設備における保守点検の管理元である管理側に設けられた設備管理サーバ計算機と、
保守点検の点検・隔離情報を更新管理する作業管理サーバ計算機と、
現場保守作業を支援する現場保守支援サーバ計算機と、
プラントの系統ごとにその系統を構成する設備の配管計装線図、単線結線図、制御装置展開接続図を含む図面情報を格納する図面データベースと、
前記設備の保守点検履歴を含む情報を格納する設備情報データベースと、
保守点検の発注情報を格納する発注情報データベースと、
保守点検を受ける系統の設備の前記点検・隔離情報を格納する保全データベースと、
管理側に設けられた管理端末装置と、
保守点検を実施する実施側に設けられた現場保守端末装置と、
を備えるプラント設備管理保守支援システムであって、
前記現場保守支援サーバ計算機は、前記図面情報にもとづいて前記系統、該系統を構成する前記設備、または、前記設備の一部の機器の前記点検・隔離情報を含む実施側が管理側に提出する保守点検の要領書の作成を支援する要領書作成支援手段と、保守点検の結果報告書の作成を支援する報告書作成支援手段と、を有し、
前記作業管理サーバ計算機は、前記図面情報にもとづいて前記系統、該系統を構成する前記設備、または、前記設備の一部の機器を隔離する作業、復旧する作業の管理を支援する隔離作業管理支援手段と、前記要領書作成支援手段で作成された要領書にもとづいて、点検・隔離表示のための作業タグを含む作業指示書の発行を支援する作業指示書発行手段と、を有し、
前記現場保守端末装置は、実施側において、前記作業管理サーバ計算機から送信された前記発注情報をもとに、前記要領書作成支援手段を介して前記要領書の作成を支援し、
前記管理端末装置は、管理側において、実施側から送信された前記要領書にもとづいて、前記作業指示書発行手段を介して前記要領書に含まれる前記点検・隔離情報の確認作業を支援し、決定された前記点検・隔離情報を前記保全データベースへ登録し、前記作業タグを含む前記作業指示書を実施側に発行し、さらに、実施側から送信された結果報告書を受信して、それに含まれる設備更新情報を、前記設備管理サーバ計算機を介して前記設備情報データベースに新たなデータとして更新登録する、
ことを特徴とするプラント設備管理保守支援システム。
【請求項２】
前記要領書作成支援手段は、
前記図面データベースに格納された前記制御装置展開接続図にもとづいて、保守点検の対象となる前記機器を指定する対象機器設定手段と、
前記指定された保守点検の対象となる機器の内部回路または外部との取り合い部に対して隔離状態を設定する隔離状態設定手段と、
前記隔離状態に応じて前記制御装置展開接続図にもとづいて、当該機器の内部回路または外部機器の隔離範囲を検索する隔離伝播検索手段と、
前記隔離状態を設定された取り合い部と、設定された隔離状態と、決定された隔離範囲を画面表示する隔離範囲表示手段と、を有し、
前記設定された取り合い部と設定された隔離状態に関する情報を前記点検・隔離情報とすることを特徴とする請求項１に記載のプラント設備管理保守支援システム。
【請求項３】
前記保全データベースは、前記作業指示書を電子情報として格納し、
前記作業指示書発行手段は、前記作業タグに付けるＲＦＩＤタグのＩＤ情報と前記作業タグを識別する識別情報とを関係付けて前記作業指示書に記載するＲＦＩＤタグ発行手段を有することを特徴とする請求項１または請求項２に記載のプラント設備管理保守支援システム。
【請求項４】
さらに、保守点検の現場に持ち込み可能な携帯端末装置を備え、
該携帯端末装置は、
現場において前記作業タグに付せられた前記ＲＦＩＤタグの少なくともＩＤ情報を読み出して、点検機器の前記取り合い部の隔離作業と復旧作業の作業記録を作成する作業記録作成手段を有し、
前記作業管理サーバ計算機の前記隔離作業管理支援手段は前記携帯端末装置から前記作業記録を取得する第１の作業記録取得手段を有し、
前記第１の作業記録取得手段が取得した前記作業記録にもとづき、前記点検・隔離情報の更新をすることを特徴とする請求項３に記載のプラント設備管理保守支援システム。
【請求項５】
前記報告書作成支援手段は、
前記作業管理サーバ計算機の前記第１の作業記録取得手段を介して前記作業記録を取得する第２の作業記録取得手段を有し、
前記第２の作業記録取得手段により取得された前記作業記録にもとづいて報告書作成支援を行なうことを特徴とする請求項４に記載のプラント設備管理保守支援システム。
【発明の詳細な説明】
【技術分野】
【０００１】
本発明は、発電プラントを一例とする設備の保守点検作業において、顧客（設備情報の管理を行う側）からの保守点検の発注情報を受けて、メーカ（保守点検を実施する側）が保守点検作業の要領書を作成し、顧客がその要領書にもとづいて作業票（作業指示書）を発行する作業、作業票にもとづいてメーカが行なう作業を顧客が管理する工程管理作業を支援するプラント設備管理保守支援システムに関する。
【背景技術】
【０００２】
発電プラントを例にとると、設備の保守点検作業を行う際、保守点検作業を実施するメーカから要領書（ペーパによる作業内容を記載した要領書）を受け取り、要領書に記載の保守点検機器リスト、保守点検作業中の当該機器および関連する機器に対する隔離処理（隔離作業）の内容が含まれる養生リストなどをもとに、顧客側が手入力で作業票を発行していた。
この作業票の発行に際し、保守点検作業中の当該機器および関連する機器に対する点検・隔離表示のための作業タグを発行し、現場の対象機器の隔離処理を行なって、その隔離処理に対応した作業タグを当該機器やその取り合い部などに取り付け、保守点検中の不注意な機器の操作を防止している。また、保守点検作業の完了後に、隔離処理の復旧を行なって、対応する作業タグを回収し、回収した作業タグを点検することにより、復旧作業の見落としを防止している。
【０００３】
このような状況により、作業タグの発行が手入力作業のため煩雑である。また、保守点検対象の機器およびそれに関連する機器の隔離処理の管理、隔離処理の復旧管理は、現場での隔離処理と作業タグの取付けの完了チェック、保守点検作業後の前記隔離処理の復旧と現場からの作業タグの回収完了のチェックが、現場に持ち込む作業チェックリストへの手書き、および現場からの持ち帰り後の作業チェックリストに記載されたデータの手入力作業で行なわれており、煩雑であった。
【０００４】
前記隔離処理作業の計画作成の煩雑さを解決するために、従来技術として、例えば、特許文献１に開示されているように、配管計装線図（以下、Ｐ＆ＩＤ（Piping &Instrumentation Diagram）のＣＡＤ（Computer Aided Design）情報にもとづき、例えば、ポンプを分解点検する際に、その関連流路にある水などが当該ポンプに流れ込まないように、周囲の弁などを開閉操作して当該弁をその系統から隔離したり、その隔離範囲内にある水などを抜いたりするアイソレーションの計画作成を支援するプラント保守支援ＣＡＤシステムが知られている。
【特許文献１】特開平９−９１３２７号公報
【発明の開示】
【発明が解決しようとする課題】
【０００５】
しかしながら、上記特許文献１に開示された従来技術は、機器の点検作業などのために弁などを隔離操作した際にその弁に「操作禁止」などの表示をする作業タグを取り付けるために、作業当日以前に前もって作業タグを、作業票（作業指示書）とともに発行し、作業者や作業現場管理者に手渡しして、当該弁の隔離処理後に作業タグが取り付けられたことを確認する管理、および、前記機器の点検が終了して隔離処理されていた弁を復旧する際に、取り付けられていた作業タグを回収したことを確認する管理機能が無く、手作業で作業タグの発行や回収の記録を台帳に手記入する方法がとられてきた。そのため、作業タグの発行、回収の管理上、転記ミスなどの人為的ミスが介在する可能性があった。また、隔離処理完了、復旧完了の情報が速やかに確認できなかった。
【０００６】
本発明の目的は、前記した課題を解決するために、作業タグを的確に効率よく発行、回収管理し、隔離処理の作業記録、隔離処理の復旧の作業記録を効率的に、正確に行なえるプラント設備管理保守支援システムを提供することにある。
【課題を解決するための手段】
【０００７】
前記課題を解決するために、第１の発明は、設備における保守点検の管理元である管理側に設けられた設備管理サーバ計算機と、保守点検の点検・隔離情報を更新管理する作業管理サーバ計算機と、現場保守作業を支援する現場保守支援サーバ計算機と、プラントの系統ごとにその系統を構成する設備の配管計装線図、単線結線図、制御装置展開接続図を含む図面情報を格納する図面データベースと、設備の保守点検履歴を含む情報を格納する設備情報データベースと、保守点検の発注情報を格納する発注情報データベースと、保守点検を受ける系統の設備の点検・隔離情報を格納する保全データベースと、管理側に設けられた管理端末装置と、保守点検を実施する実施側に設けられた現場保守端末装置と、を備えるプラント設備管理保守支援システムであって、現場保守支援サーバ計算機は、図面情報にもとづいて系統、系統を構成する設備、または、設備の一部の機器の点検・隔離情報を含む実施側が管理側に提出する保守点検の要領書の作成を支援する要領書作成支援手段と、保守点検の結果報告書の作成を支援する報告書作成支援手段と、を有し、作業管理サーバ計算機は、図面情報にもとづいて系統、系統を構成する設備、または、設備の一部の機器を隔離する作業、復旧する作業の管理を支援する隔離作業管理支援手段と、要領書作成支援手段で作成された要領書にもとづいて、点検・隔離表示のための作業タグを含む作業指示書の発行を支援する作業指示書発行手段と、を有し、現場保守端末装置は、実施側において、作業管理サーバ計算機から送信された発注情報をもとに、要領書作成支援手段を介して前記要領書の作成を支援し、管理端末装置は、管理側において、実施側から送信された要領書にもとづいて、作業指示書発行手段を介して要領書に含まれる点検・隔離情報の確認作業を支援し、決定された点検・隔離情報を保全データベースへ登録し、作業タグを含む作業指示書を実施側に発行し、さらに、実施側から送信された結果報告書を受信して、それに含まれる設備更新情報を、設備管理サーバ計算機を介して設備情報データベースに新たなデータとして更新登録する、ことを特徴とする。
【０００８】
そして、第２の発明は、第１の発明において保全データベースは、作業指示書を電子情報として格納し、作業指示書発行手段は、前記作業タグに付けるＲＦＩＤタグのＩＤ情報と作業タグを識別する識別情報とを関係付けて作業指示書に記載するＲＦＩＤタグ発行手段を有することを特徴とする。
さらに、第３の発明は前記第２の発明において、さらに、保守点検の現場に持ち込み可能な携帯端末装置を備え、携帯端末装置は、現場において作業タグに付せられたＲＦＩＤタグの少なくともＩＤ情報を読み出して、点検機器の取り合い部の隔離作業と復旧作業の作業記録を作成する作業記録作成手段を有し、作業管理サーバ計算機の隔離作業管理支援手段は携帯端末装置から作業記録を取得する第１の作業記録取得手段を有し、第１の作業記録取得手段が取得した作業記録にもとづき、点検・隔離情報の更新をすることを特徴とする。
【発明の効果】
【０００９】
第１の発明によると、作業指示書発行手段により要領書にもとづいて作業指示書を発行する際の作業タグの発行を的確に間違い無く行なえる。
【００１０】
そして、第２の発明によれば、作業タグを発行する際にその作業タグに貼付するＲＦＩＤタグを同時に発行し、作業タグの取付け、回収などの作業記録作成時にＲＦＩＤタグのＩＤ情報を取得することで、容易に作業タグの特定ができ、煩わしい手記入を無くせ、転記ミスを防止できる。
【００１１】
さらに、第３の発明によれば、作業管理サーバ計算機は、作業記録を取得し、迅速な点検・隔離情報の更新をすることができる。
【発明を実施するための最良の形態】
【００１２】
本発明の実施形態に係るプラント設備管理保守支援システムについて、図面を参照しながら以下詳細に説明する。ここで、本実施形態は、保守点検作業を要する複数設備からなる顧客（管理側）施設、例えば、原子力発電プラントにおいて、保守点検作業を顧客（管理側）から受注した業者（実施側）が、受注内容にしたがって保守点検作業を行なう場合を想定している。発注情報は事前に作成されており、発注情報データベース（発注情報ＤＢ）に格納されているものとする。
【００１３】
《プラント設備管理保守支援システムの全体構成》
図１は本発明の実施形態に係るプラント設備管理保守支援システムにおける顧客側（管理側）システムと業者側（実施側）システムの全体構成を示すブロック図である。図２は本実施形態に係るプラント設備管理保守支援システムにおける設備管理サーバ計算機の構成と機能を説明する図である。図３の（ａ）は設備情報の内容項目の１例を示す図であり、図３の（ｂ）は発注情報の内容項目の１例を示す図である。図４は本実施形態に係るプラント設備管理保守支援システムにおける作業管理サーバ計算機の構成と機能を説明する図である。図５は本実施形態に係るプラント設備管理保守支援システムにおける現場保守支援サーバ計算機の構成と機能を説明する図である。図６は本実施形態に係るプラント設備管理保守支援システムにおける工具・器材管理サーバ計算機、計器・試験装置管理サーバ計算機それぞれの構成と機能を説明する図である。
【００１４】
図１に示すようにプラント設備管理保守支援システム１は、ネットワーク３と、ネットワーク３に接続された設備管理サーバ計算機１００、作業管理サーバ計算機２００、現場保守支援サーバ計算機３００、工具・器材管理サーバ計算機４００、計器・試験装置管理サーバ計算機５００、管理端末装置７、現場保守端末装置９、および現場ネットワーク５と、現場ネットワーク５に接続された無線ターミナル１１と、無線ターミナル１１と無線通信可能な携帯端末装置１３と、各種データベース（ＤＢ）とを含んで構成されている。
各サーバ計算機１００、２００、３００、４００、５００は各種ＤＢを格納する記憶装置を備えている。
【００１５】
管理端末装置７および現場保守端末装置９は、図示しない表示装置、キーボード、マウス、ワークファイル７ａ、９ａを格納するハードディスクなどの記憶装置を備えたパーソナルコンピュータまたはエンジニアリングワークステーションである。管理端末装置７および現場保守端末装置９は各サーバ計算機１００、２００、３００、４００、５００の後記する各種機能を利用するインターフェースプログラムを搭載しており、管理側の操作者は、管理端末装置７を操作して、また実施側の操作者は現場保守端末装置９を操作して、各サーバ計算機１００、２００、３００、４００、５００を利用する。
なお、管理端末装置７には、後記する作業票（作業指示書）を印刷するプリンタ７ｂと、作業タグ１５に貼付するＲＦＩＤタグ１６Ａ付きのシールに、データ書き込みとシール印字をするＲＦＩＤタグプリンタ７ｃを備えたものが配置されている。
【００１６】
ちなみに、ＲＦＩＤタグプリンタ７ｃは、例えば、ＲＦＩＤリーダ・ライタを備えた図示しない送受信部と、生ＲＦＩＤタグ（識別用のＩＤ情報以外の他のデータが記憶されていない状態の、製品として出荷された状態のもの）付きのシールの表面に目視可能に印字する図示しない印字部と、台紙テープ上に貼りつけられた生ＲＦＩＤタグ付きのシールを、順にＲＦＩＤタグプリンタ７ｃの送受信部に送り込む図示しないフィーダを備えている。
生ＲＦＩＤタグ付きのシールは台紙テープ上に貼りつけられたまま連続的にフィーダから前記送受信部に送り込まれ、送受信部との間でデータの通信を行ない、続いて印字部に送られ、生ＲＦＩＤタグ付きのシールの表面に所定の印字が行なわれ、印字部の出口から排出される。この段階で、ＲＦＩＤタグは、内蔵のＩＣチップに所定の情報が書き込まれ、ＲＦＩＤタグ付きのシールの表面に目視可能な所定の情報が印字されている。
また、携帯端末装置１３はＲＦＩＤタグ１６Ａ、１６Ｂと通信して少なくともＲＦＩＤタグ１６Ａ、１６ＢのＩＤ情報を読み込む図示しないＲＦＩＤタグリーダを搭載し、図示しない表示装置、キーボードを有した、例えば、小型パーソナルコンピュータである。
【００１７】
（設備管理サーバ計算機の構成）
図２に示すように設備管理サーバ計算機１００は、管理側が運用するサーバ計算機であり、設備情報データベース（設備情報ＤＢ）１０１と接続し、機能ブロックとして後記する設備更新情報、保守点検記録情報を設備情報ＤＢ１０１に格納する機能を含む設備管理部１２１を有している。
設備情報ＤＢ１０１のデータ構成は、例えば、図３の（ａ）の表１０２に示すように、機器名データに対応した形式データと、保守点検履歴データと、保守点検内容データと、構成部品データと、構成部品データの交換履歴データと、を含んで構成される。
【００１８】
（作業管理サーバ計算機の構成）
図４に示すように作業管理サーバ計算機２００は、管理側が運用するサーバ計算機であり、発注情報データベース（発注情報ＤＢ）２０１、図面データベース（図面ＤＢ）２０３、保全管理データベース（（保全管理ＤＢ）保全データベース）２０５と接続しており、機能ブロックとして発注情報管理部（管理側）２２１、図面管理部（管理側）２２２、Ｐ＆ＩＤ（Piping & Instrumentation Diagram）隔離作業要領作成支援部２２３、単線結線図隔離作業要領作成支援部２２４、ＥＣＷＤ（Elementary Control Wiring Diagram）隔離作業要領作成支援部２２５、プラント運用ルールチェック部２２６、点検・隔離管理部（管理側）２２７、工程管理部（管理側）２２８、作業票管理部（管理側）２２９を有している。
保全管理ＤＢ２０５は、作業票データベース（作業票ＤＢ）２０６、点検・隔離データベース（点検・隔離ＤＢ）２０７および工程データベース（工程ＤＢ）２０８を含んでいる。それぞれのＤＢ２０６、２０７、２０８の詳細は後記する。
【００１９】
なお、発注情報管理部（管理側）２２１、図面管理部（管理側）２２２、点検・隔離管理部（管理側）２２７、工程管理部（管理側）２２８、作業票管理部２２９の機能には、管理側に配置された管理端末装置７（図１参照）からはアクセスできるが、実施側の現場保守端末装置９からはアクセスできないように、つまり、実施側から発注情報ＤＢ２０１の発注情報の更新、図面ＤＢ２０３の各種情報の更新、点検・隔離ＤＢ２０７の点検・隔離情報の更新、工程ＤＢ２０８の工程情報の更新、作業票ＤＢ２０６の更新、要領書や報告書の管理側で行なうべき調査、承認がなされないように、パスワードとかアクセス端末装置の端末ＩＤによりブロックされるようになっている。
【００２０】
発注情報ＤＢ２０１のデータ構成は、例えば、図３の（ｂ）の表２０２に示すように、発注番号データに対応した工事件名データと、保守点検対象機器データと、保守点検対象機器データに対する保守点検内容データと、を含んで構成される。
【００２１】
図面ＤＢ２０３は、配管計装線図（以下では「Ｐ＆ＩＤ」と称する）情報２１１、単線結線図情報２１２、制御装置展開接続図（以下では「ＥＣＷＤ」と称する）情報２１３、プラント運用ルール情報２１４を含んでいる。
Ｐ＆ＩＤ情報２１１は、発電所などの大型プラントにおいては、基本設計情報でありプラントの各部門で共通に利用される２次元または３次元の計算機利用設計による図面情報（以下、ＣＡＤ（Computer Aided Design）情報と略称する）である。また、単線結線図情報２１２はプラントの系統や系統に含まれる設備、機器間の電気的なつながりを相数や線数や空間的位置には関係なく、１本の線で書き表したものであり、やはりＣＡＤ情報である。ＥＣＷＤ情報２１３は、シーケンス図の一種であり、機器の動作についての機能を中心にして、盤や機器の境界とケーブルの接続を同一の図面内に示したＣＡＤ情報である。
プラント運用ルール情報２１４は、プラントの運転中および保守点検中におけるプラントの保安の観点から、作動させる必要のある系統、系統を構成する設備、機器のリストアップ、その作動させる必要のある系統、設備、機器の状態（例えば、バックアップ機能が働いていること、必要な多重構成をしていることなど）の情報を含んでおり、例えば、ロジック図の形式の情報である。
【００２２】
次に保全管理ＤＢ２０５の各種ＤＢについて説明する。
作業票ＤＢ２０６は、今回の保守点検工事において作成された作業票を電子情報の形の作業票情報２０６ａとして後記する作業タグ情報２０６ｂとともに格納したものである。ここで作業票とは、保守点検工事期間中、作業ステップごとに細かく管理側から各実施業者に対して発行される指示書である。大きなプラントでは、並行して、複数の実施業者が一度にプラントに入り、担当する機器に対する保守点検工事を行なうが、担当する機器間の電気的つながりや、制御的つながり、配管のつながりなどを考慮して、設備や機器の隔離処理、復旧処理を行なう必要がある。そのため、作業の交通整理と、工程の進捗の齟齬を防止のため、工事開始前に関係する実施側、管理側担当者の間で調整を行なって作成され、承認された工事の要領書に従って、工事の作業ステップごとに作業指示書として作業票が発行される。
【００２３】
そして、その作業票に記載された作業内容が、例えば、隔離処理または隔離処理からの復旧のための弁操作、設備や機器のスイッチ操作（スイッチのオン、オフ操作）、機器の盤内の接続端子の隔離処理（リフト、ジャンパ設定や取外し）を含んでいる場合は、その弁やスイッチの誤った操作、接続端子の隔離処理の誤った変更を防止するためその部位に取り付けて表示する作業タグ１５（図１参照）の取り付けや回収の指示も含んでいる。
【００２４】
なお、作業タグ１５は金属製または樹脂製の板でできており、その表面にはその設備、機器、部位などを特定する情報（例えば、系統番号、設備機器番号、盤内座標、端子番号など）、操作内容（弁ならば「開固定」、「閉固定」、電気関係ならば「スイッチオン」、「スイッチオフ」、「リフト切り離し」、「ジャンパ切り離し」など）の表記、責任者などを示す情報、などが印字されたＲＦＩＤタグ１６Ａ付きのシールを貼付する。
この発行された作業タグ１５（図１参照）に記載された情報は、作業票ＤＢ２０６に格納される情報の一部である作業タグ情報２０６ｂとして、作業タグ１５のＩＤ番号（識別情報）、発行の日時、取り付けの日時、回収の日時の情報も記録可能に、対応する作業票のＩＤ番号、添付されたＲＦＩＤタグ１６ＡのＩＤ情報と対応付けられて格納される。
なお、個々のＲＦＩＤタグ１６ＡにＩＤ情報だけでなく対応する作業タグ１５の前記作業タグ情報も記憶させるようにしても良い。
【００２５】
点検・隔離ＤＢ２０７は、今回の保守点検工事の期間において保守点検の対象となる系統、設備、機器に関係して対象の設備、機器、およびその保守点検作業のために隔離処理をする設備、機器の隔離処理の現在の状態を示す情報を含んでおり、前記した図面ＤＢ２０３のＰ＆ＩＤ情報２１１、単線結線図情報２１２、ＥＣＷＤ情報２１３の中の保守点検作業に必要な図面情報を抜き取り、保守点検対象を示したり、隔離処理を施される機器やその機器の境界や、隔離される範囲を示したりする情報を付加されたものである。
保守点検工事の進捗に従い、実際のプラントの設備状況に応じて隔離機器の増加、減少を示すように更新管理される。
【００２６】
工程ＤＢ２０８は保守点検工事の全体工程から系統ごとの工程、設備、機器の隔離処理や復旧処理の細かい工程情報を、複数の実施業者の工程情報を取り扱い可能に含んでおり、作業日ごとの作業指示を管理側が各実施側と調整して出すことが可能なように配慮されて、構成されている。管理側は作業日ごとの作業指示を工程ＤＢ２０８にもとづいて実施側に出す。
【００２７】
（現場保守支援サーバ計算機の構成）
図５に示すように現場保守支援サーバ計算機３００は、管理側と実施側とが共に運用するサーバ計算機であり、工事・作業件名データベース（工事・作業件名ＤＢ）３０１、要領書データベース（要領書ＤＢ）３０２、報告書データベース（報告書ＤＢ）３０３、作業者データベース（作業者ＤＢ）３０４と接続しており、機能ブロックとして工事・作業件名管理部（管理側）３２１、要領書管理部（実施側）３２２、報告書管理部（実施側）３２３、取替部品登録管理インターフェース３２４、使用計器・試験装置管理インターフェース３２５、使用工具・器材管理インターフェース３２６、点検・隔離管理インターフェース（実施側）３２７、工程管理インターフェース（実施側）３２８、作業者登録部３２９を有している。
【００２８】
工事・作業件名ＤＢ３０１は、プラントの定期点検に実施する設備機器に係る保守点検工事において、これらの保守点検工事に係る工事件名、作業件名を登録したデータベースであり、現在行われているまたは計画中の保守点検工事だけでなく、過去に行なわれた保守点検工事のものまで含まれており、後記する要領書、報告書などの検索に利用される。この工事・作業件名ＤＢ３０１は発注情報と関係付けられており、発注情報の中に記載されている、各発注情報を識別する発注工事・作業件名からも検索できるようになっている。
【００２９】
要領書ＤＢ３０２は、工事件名や作業件名ごとに作成される保守点検工事の要領書を、これまでに行われた、または実施中の保守点検工事において作成されたものを電子情報の形で格納したものである。要領書は工事件名、作業件名、工事の工程表、工事の作業内容、工事の作業手順、工事の体制、保守点検する対象機器、対象機器を保守点検するために行なう系統や系統の設備、機器の隔離の範囲、隔離箇所（取り合い部）、隔離箇所ごとの隔離処理の内容（隔離状態の設定内容）を含んでいる。
特に、隔離処理を行う機器や機器の接続端子、弁などを特定する前記設備、機器、部位などを特定する情報（系統番号、設備機器番号、盤内座標、端子番号など）、操作内容（弁ならば「開固定」、「閉固定」、電気関係ならば「スイッチオン」、「スイッチオフ」、「リフト切り離し」、「ジャンパ切り離し」など）などが記載される養生リストを含んでいる。また、その隔離処理の開始時期、復旧時期の予定も工程表の中に記載される。
【００３０】
そのほかに、保守点検工事の中で行われる取替部品リスト、使用される計器、試験装置、工具・器材のリストも要領書の中に含まれている。
原子力発電プラントにおいては、保守点検工事において施設内で使用された工具、器材、計器、試験装置がそのまま設備の配管や容器の中に置き忘れられて、プラントを運転した後にトラブルの発生原因になった経験などから、工事において施設内へのこのような工具、計器などの持ち込み、持ち出しを厳重に管理して、置き忘れによるトラブルの発生を防止するようにしている。
【００３１】
また、放射線被曝をともなう作業もあるため、放射線被曝線量が法律や規則で定められた値を下回るように、作業者の被ばく線量管理のため作業管理も要領書に含まれている。
【００３２】
報告書ＤＢ３０３は、工事件名や作業件名ごとに作成される保守点検工事の結果を管理側に報告した報告書を電子情報の形で格納したものである。報告書は要領書に記載された内容の結果を記録したものである。
【００３３】
作業者ＤＢ３０４は、実施側および管理側の作業人員１８（図１参照、この中には実施側の作業員の外に実施側の現場責任者、現場代理人など直接に作業は行わないが、現場の作業を指揮、監督する実施側の者や、管理側の工事立会者、管理側の作業者などを含む）の氏名、所属、資格、登録期間、個人ＩＤカード１９（図１参照）に添付または内蔵されたＲＦＩＤタグ１６Ｂ（図１参照）のＩＤ情報、個人ＩＤカード番号、などが登録されたデータベースである。
これを利用することによって、後記する現場作業記録の作成に当たって、作業者や立会者などの人名を携帯端末装置１３（図１参照）からキーボード入力などで手入力せずとも、それに設けられているＲＦＩＤリーダーで個人ＩＤカード１９のＲＦＩＤタグ１６Ｂを読み込むことにより、作業者ＤＢ３０４を参照して具体的な人名を特定できるようにしたものである。
【００３４】
（工具・器材管理サーバ計算機の構成）
図６の（ａ）に示すように工具・器材管理サーバ計算機４００は、管理側および実施側が運用するサーバ計算機であり、工具管理データベース（工具管理ＤＢ）４０１および器材管理データベース（器材管理ＤＢ）４０３と接続しており、機能ブロックとして工具の使用持ち込み記録情報、工具の返却記録情報を管理する工具管理部４２１、器材の使用持ち込み記録情報、器材の返却記録情報を管理する器材管理部４２２を有している。
【００３５】
（計器・試験装置管理サーバ計算機の構成）
図６の（ｂ）に示すように計器・試験装置管理サーバ計算機５００は、管理側および実施側が運用するサーバ計算機であり、計器管理データベース（計器管理ＤＢ）５０１および試験装置管理データベース（試験装置管理ＤＢ）５０３と接続しており、機能ブロックとしてと、計器の使用持ち込み記録情報、計器の返却記録情報を管理する計器管理部５２１、試験装置の使用持ち込み記録情報、試験装置の返却記録情報を管理する試験装置管理部５２２を有している。
【００３６】
《機能構成の説明》
（作業管理サーバ計算機の機能構成）
次に、図４に戻って作業管理サーバ計算機２００のソフトウェア構成について詳細に説明する。
発注情報管理部（管理側）２２１は、発注情報ＤＢ２０１からの情報をネットワーク３を通じて実施側に送信する発注情報送信機能を有する。
図面管理部（管理側）２２２は、図面ＤＢ２０３の前記した各種情報（２１１〜２１４）を、現在の設備状態に合わせて常に最新のものに更新管理する機能を有する。
Ｐ＆ＩＤ隔離作業要領作成支援部２２３は、Ｐ＆ＩＤ情報２１１を利用して配管系統から機器を隔離するために弁操作を計画する要領作成作業を支援する機能を有する。
単線結線図隔離作業要領作成支援部２２４は、単線結線図情報２１２を利用して電気供給回路から機器を隔離する操作を計画する要領作成作業を支援する機能を有する。
ＥＣＷＤ隔離作業要領作成支援部２２５は、ＥＣＷＤ情報２１３を利用して機器を隔離する隔離処理を計画する要領作成作業を支援する機能を有する。
プラント運用ルールチェック部２２６は、前記したプラント運用ルール情報２１４を用いて、プラント運転中またはプラントの定期検査工事（定検工事）中の保守点検工事に係るＰ＆ＩＤ、単線結線図、ＥＣＷＤの各隔離範囲や隔離処理が適切か否かをチェックする機能を有する。
【００３７】
点検・隔離管理部（管理側）２２７は、前記した図面ＤＢ２０３のＰ＆ＩＤ情報２１１、単線結線図情報２１２、ＥＣＷＤ情報２１３の中の保守点検作業に必要な図面情報を抜き取り、点検・隔離情報にもとづき保守点検対象を示したり、隔離処理を施される機器やその機器の境界や、隔離される範囲を示したりして、保守点検工事の進捗に従い、実際のプラントの設備状況に応じて隔離機器の増加、減少を示すように点検・隔離情報を更新管理する。ここで、点検・隔離情報とは、保守点検対象機器の名称や機器番号、そのための隔離箇所、その隔離状態などの情報である。
点検・隔離管理部（管理側）２２７は、作業現場に持ち込まれた携帯端末装置１３からの後記する作業票の指示に従った隔離処理、復旧の作業記録情報を作業タグ管理部２３１で受けて、作業票ＤＢ２０６の作業タグ情報２０６ｂを参照してその作業記録情報を受け付け、作業タグ１５の指定した内容の隔離処理または復旧処理がなされたとして、点検・隔離ＤＢの該当する部位に対して隔離処理または復旧処理済みの情報を追加する。そして、作業管理部（管理側）２２７が点検・隔離ＤＢ２０７の該当する部位に対して隔離処理または復旧処理を受け付けたことを実施側に返信する。
【００３８】
ここで、作業タグ管理部２３１は、作業票管理部（管理側）２２９の中の機能である後記する作業票作成発行管理部２７１の作業タグ発行支援部２７２を用いて発行された作業タグ１５を、その後実際に取り付けられ、取り外され回収されるまでを管理する機能を有している。このように点検・隔離情報を管理更新するため、点検・隔離管理部（管理側）２２７は作業タグ管理部２３１と、後記する工程管理部（管理側）２２８の機能を運用する工程管理インターフェース２３２を有している。
以下では、ソフトウェアの機能ブロックの名称としてインターフェースという言葉を用いることがあるが、これは、例えば、点検・隔離管理部（管理側）２２７のソフトウェアとは独立のソフトウェアとして構成された工程管理部（管理側）２２８の一部機能または全ての機能を、点検・隔離管理部（管理側）２２７のソフトウェアから利用できるようにしたソフトウェア機能を指している。
【００３９】
工程管理部（管理側）２２８は、実施側から提出され管理側と協議の上決定された要領書に添付された工程情報を工程ＤＢ２０８に取り込んで、その後、実際の工事の進捗にともなって、それを修正して更新したり、管理側および実施側の関係部門に送信したりする機能を有している。
【００４０】
作業票管理部（管理側）２２９は、図４に示すように機能ブロックとして大きくは要領書管理部（管理側）２４１、報告書管理部（管理側）２５１、点検・隔離管理（管理側）インターフェース２６１、作業票作成発行管理部２７１を含んで構成されている。
先ず、要領書管理部（管理側）２４１について説明する。要領書管理部（管理側）２４１は、実施側が作成して提出した電子情報の形の要領書を管理側の担当者が調査して、コメントがあればコメント編集部２４３を用いてコメントを記載し、さらに上司に転送して自分の調査結果を報告し、上司が承認または湖面と付き返却の形で管理側の担当者に返送し、管理側担当者が実施側（提出者）に承認またはコメント付き返却する承認管理をしたりする機能（承認管理部２４２）を有している。つまり、要領書管理部（管理側）２４１は後記する要領書管理部（実施側）３２２と対の構成の電子承認システムを含んだソフトウェアである。
このような、提出された要領書の調査のための機能として、各種ＤＢ例えば、過去の同種の工事作業時の要領書を要領書ＤＢ３０２から検索できるようにする図書検索部２４４、Ｐ＆ＩＤ情報２１１の中の必要な図面を検索したり、Ｐ＆ＩＤ隔離作業要領作成支援部２２３の機能を利用したりするＰ＆ＩＤインターフェース２４５、同様に単線結線図情報２１２の中の必要な図面を検索したり、単線結線図隔離作業要領作成支援部２２４の機能を利用したりする単線結線図インターフェース２４６、ＥＣＷＤ情報２１３の中の必要な図面を検索したり、ＥＣＷＤ隔離作業要領作成支援部２２５の機能を利用したりするＥＣＷＤインターフェース２４７などを有している。
【００４１】
次に、報告書管理部（管理側）２５１について説明する。報告書管理部（管理側）２５１は、実施側が作成して提出した電子情報の形の報告書を管理側の担当者が調査して、コメントがあればコメント編集部２５３を用いてコメントを記載し、さらに上司に転送して自分の調査結果を報告し、上司が承認、またはコメント付き返却などの形で管理側担当者に返送し、管理側担当者が実施側（提出者）に、承認またはコメント付き返却する承認管理をしたりする機能（承認管理部２５２）を有している。つまり、報告書管理部（管理側）２５１は後記する報告書管理部（実施側）３２３と対の構成の電子承認システムを含んだソフトウェアである。
このような、提出された報告書の調査のための機能として、各種ＤＢから検索できるようにする図書検索部２４４、Ｐ＆ＩＤ情報２１１の中の必要な図面を検索したり、Ｐ＆ＩＤ隔離作業要領作成支援部２２３の機能を利用したりするＰ＆ＩＤインターフェース２４５、同様に単線結線図情報２１２の中の必要な図面を検索したり、単線結線図隔離作業要領作成支援部２２４の機能を利用したりする単線結線図インターフェース２４６、ＥＣＷＤ情報２１３の中の必要な図面を検索したり、ＥＣＷＤ隔離作業要領作成支援部２２５の機能を利用したりするＥＣＷＤインターフェース２４７、報告書の中から保守点検工事によって取り替えられた部品や機器や設備などに関する更新情報を抽出して設備更新情報を生成し、設備管理サーバ計算機１００の設備管理部１２１に送信する機能の設備更新情報生成部２５４を有している。
【００４２】
点検・隔離管理インターフェース（管理側）２６１は、作業票管理部（管理側）２２９の機能で動作中に点検・隔離管理部（管理側）２２７の機能の全てにモード切換で入れるものであり、工程管理インターフェース２３２、作業タグ管理インターフェース２６２も含んでいる。
作業票作成発行管理部２７１は、管理側が承認した要領書にもとづいて要領書中に記載された作業工程に従って、作業のステップごとに作業内容を実施側に指示する作業票を発行する作業を支援する機能を有する。そして、作業タグ発行支援部２７２は、作業指示の中に作業タグ１５を取り付ける作業指示が含まれる場合に、前もってＲＦＩＤタグ１６Ａ付きのシールを印刷したり、その作業タグ１５の識別情報である作業タグ番号とＲＦＩＤタグ１６ＡのＩＤ情報を関係付けたり、一連の保守点検工事の中で作業タグ番号が重複しないように管理する機能を有する。
【００４３】
（現場保守支援サーバ計算機の機能構成）
次に、図５を参照しながら現場保守支援サーバ計算機３００のソフトウェア構成について説明する。
工事・作業件名管理部３２１は、ネットワーク３を通じて管理側からの発注情報を実施側で受信して、それにもとづいて実施側から管理側に提出され、管理側に承認された要領書に記載の工事・作業件名を管理側で工事・作業件名ＤＢ３０１に登録する機能である。
ちなみに、工事・作業件名の登録機能は実施側でも可能としても良い。
工事件名は発注情報に記載された工事件名がそのまま使用される。作業件名は、要領書に記載された個々の作業の単位ごとに決められるが、過去の要領書を参考に名称が付けられ、保守点検工事の内容や保守点検対象の設備や機器が同じでも時期が異なれば、区別ができるように、例えば、「ＡＡＡ原子力発電所  ＢＢ号機、  第ＸＸ回定検工事」という頭書きが付く。
【００４４】
先ず要領書管理部（実施側）３２２について説明する。図５に示すように要領書管理部（実施側）３２２は、実施側の担当者が要領書作成部３４２を用いて、電子情報の形の要領書を作成し、さらに上司に提出して上司が調査、承認をして、コメントがあれば要領書作成部３４２を用いてコメントを記載し、承認であればそのままの内容で電子承認して起草した担当者に戻し、調査、承認、またはコメント付き返却などの形で返送する承認管理をする機能（承認管理部３４１）を有している。実施側担当者は上司に承認された要領書を承認管理部３４１を用いて管理側に提出する。
そして、要領書作成部３４２は、要領書の作成、調査のための機能として、各種ＤＢ、例えば、過去の同種の工事作業時の要領書を要領書ＤＢ３０２から検索できるようにする図書検索部２４４、Ｐ＆ＩＤインターフェース２４５、単線結線図インターフェース２４６、ＥＣＷＤインターフェース２４７、設備、機器の隔離処理のための弁操作、設備や機器のスイッチ操作（スイッチのオン、オフ操作）や機器の盤内の接続端子の隔離処理（リフト、ジャンパ設定や取外し）を設備、機器ごとに纏めて一覧表にする作業を支援する養生リスト作成部３４７、保守点検作業の中で取替え予定の取替部品リストを作成支援する取替部品リスト作成部３４８を有している。
【００４５】
そのほかに、要領書作成部３４２は、使用される計器、試験装置のリストを作成支援する使用計器・試験装置リスト作成部３４９、使用される工具、器材のリストを作成支援する使用工具・器材リスト作成部３５０、プラント運用ルールチェック部２２６の機能を利用するプランと運用ルールインターフェース３５１を含んでいる。
【００４６】
次に、報告書管理部（実施側）３２３について説明する。図５に示すように報告書管理部（実施側）３２３は、実施側が先に提出して管理側の承認を得た要領書に従って、保守点検作業を実施した作業結果の記録を、報告書作成部３６２を用いて電子情報の形の報告書として作成するものであり、作成後に上司の調査、承認手続を経て、上司が実施側担当者に、承認、またはコメント付き返却などの形で返送し、承認された場合は実施側担当者が管理側に送信する承認管理をしたりする機能（承認管理部３６１）を有している。
そして、報告書作成部３６２は、報告書の作成、調査のための機能として、各種ＤＢ、例えば、過去の同種の工事作業時の報告書を報告書ＤＢ３０３から検索できるようにする図書検索部２４４、前記した要領書の中で作成した養生リストに対する、個々の隔離処理、復旧処理の作業記録を編集する養生リスト編集部３６４、保守点検作業の中で取替た取替部品リストを作成支援する取替部品リスト編集部３６５、使用された計器、試験装置の持ち込み、持ち出し記録を編集する使用計器・試験装置リスト編集部３６６、使用された工具、器材の持ち込み、持ち出し記録を編集する使用工具・器材リスト編集部３６７を含んでいる。
【００４７】
取替部品登録管理インターフェース３２４は、発注情報に記載の部品取替指示にもとづいて、実施側が設備管理部１２１の機能を利用するものであり、設備情報ＤＢ１０１の当該機器を検索して、部品番号、仕様などを受信し、交換部品との仕様の確認、交換部品の部品番号の登録をするものである。
図７に取替部品登録管理インターフェース３２４において、取替部品管理を行なう際の取替部品管理表登録画面６０の１例を示す。
ちなみに、この画面６０を用いて行なう作業の機能は、取替部品リスト作成部３４８および取替部品リスト編集部３６５でも可能となっている。
画面の左側に配置したアイコンボタン欄には、メインメニューを選択できるように各種のアイコンボタンが用意されている。
例えば、「要領書・報告書管理」と表示されたアイコンボタン４１は、要領書作成機能、報告書作成機能のモードのいずれかが選べるようになっている。画面６０は要領書作成機能のモードの場合である。「点検管理」と表示されたアイコンボタン４３は、取替部品リストの対象とする機器設備を選択するため一覧表表示操作用のものである。
「工事件名一覧」と表示されたアイコンボタン４２は、工事・作業件名ＤＢ３０１にアクセスして工事・作業件名の一覧を表示させるものであり、表示させる取替え部品管理表の画面を選択するためのものである。
「点検データ記録」と表示されたアイコンボタン４４は、携帯端末装置１３で現場において入力した作業記録のうちの取替部品の作業記録を検索するためのものであり、取替部品リスト編集部３６５の機能の一部として含まれているものである。
「図書検索」と表示されたアイコンボタン４５は、Ｐ＆ＩＤ情報２１１、単線結線図情報２１２、ＥＣＷＤ情報２１３、要領書ＤＢ３０２、報告書ＤＢ３０３などにアクセスするためのものである。
「件名管理」と表示されたモード切換アイコンボタン４６は、工事・作業件名管理部（管理側）３２１の機能を用いて、工事件名や作業件名の編集モードに入るためのものである。そしてそのモードにおける工事件名登録・編集をするための画面に切り換える「工事件名登録・編集」と表示した画面切換アイコンボタン４６ａ、作業件名登録・編集をするための画面に切り換える「作業件名登録・編集」と表示した画面切換アイコンボタン４６ｂが用意されている。
【００４８】
そのほかに、「システム保守」と表示したシステム保守モードに切り換えるアイコンボタン４７が用意され、システム保守モードにおいて、ユーザＩＤを管理する画面に切り換え可能とする「ユーザＩＤ管理」と表示された画面切換用のアイコンボタン４８、パスワード変更画面に切り換え可能とする「パスワード変更」と表示された画面切換用のアイコンボタン４９、ログアウト用のアイコンボタン５１が用意されている
【００４９】
取替部品管理表登録画面６０には、図７に示すように作業管理チェックシート番号欄６１、取替え部品管理シート番号欄６２が用意され、手入力によりその欄に入力するようになっている。
そして取替部品表６６には、アイテム番号欄６６ａ、品名欄６６ｂ、製造メーカ、型式、仕様、材質、サイズなどを入力する仕様欄６６ｃ、数量と単位を入力する員数欄６６ｄ、支給区分欄６６ｅ、事業所検査合格確認欄６６ｆ、部品受入確認欄６６ｇ、部品取替確認欄６６ｈが用意されている。部品受入確認欄６６ｇには、実施側の確認日付と確認者名、顧客側の確認日付と確認者名の欄が、部品取替確認欄６６ｈには、実施側の施工日付、施工者名と確認者名、顧客側の確認日付と確認者名の欄、および顧客側の確認結果を入力する結果欄６６ｉが用意されている。
【００５０】
なお、「取替部品記録より」と表示されたアイコンボタン６３により、設備管理部１２１の機能を利用して、過去の取替部品記録を検索するためのものである。「設備情報ＤＢ更新」と表示されたアイコンボタン６４は、管理者側が、報告書を実施者側から受け取りそれにもとづいて、管理側担当者が取替部品管理表６６を要領書などにもとづいてチェックを行ない、管理者側上司の承認を得たものを設備管理部１２１の機能を用いて、設備情報ＤＢ１０１を更新する際に使用するものである。このアイコンボタン６４は、管理側の担当者のユーザＩＤで操作しているときにのみ、アクティブになるものであり、実施側では操作できないようにユーザＩＤでこのアイコンボタン６４の機能をアクティブ、ノンアクティブの状態に制御するようになっている。
そのほかに作成した取替部品管理表６６を印刷させるためのアイコンボタン５５Ｃ、画面を１つ前の画面に戻し操作するアイコンボタン５２Ｂ、取替部品管理表６６をスクロールするためのスクロールアイコン５６ａ、５６ｂ、５６ｃ、要領書や報告書に記載登録するための「登録」と表示されたアイコンボタン５７Ｂが用意されている。
【００５１】
図８に使用工具・器材管理インターフェース３２６において、工具管理部４２１、器材管理部４２２の機能を用いて使用工具および使用器材の管理を行なう際の使用工具・器材管理表登録画面７１の１例を示す。
ちなみに、この画面７１を用いて行なう作業の機能は、使用工具・器材リスト作成部３５０、使用工具・器材リスト編集部３６７でも可能となっている。
画面の左側に配置したアイコンボタン欄には、メインメニューを選択できるように各種のアイコンボタンが用意されている。その画面構成は、画面６０の説明と同じであり説明を省略する。
ただし、「点検データ記録」と表示されたアイコンボタン４４は、携帯端末装置１３で現場において入力した作業記録のうちの工具、器材の持ち込み記録、持ち出し記録を検索するためのものであり、使用工具・器材リスト編集部３６７の機能の一部として含まれているものである。
【００５２】
使用工具・器材管理表登録画面７１には、図８に示すように発電所名欄７３ａ、工事件名欄７３ｂ、作業件名欄７３ｃ、作業期間欄７３ｄ、保守点検対象の機器名、機器番号欄７３ｅ、作業エリア欄７３ｆ、施工会社名欄７３ｇ、搬入年月日欄７３ｈ、搬出完了年月日欄７３ｉ、実施側の責任者が記録確認した搬入時確認日欄７４ａと搬出時確認日欄７４ｂ、顧客が記録確認した搬入時確認日欄７５ａと搬出時確認日欄７５ｂがそれぞれ用意され、その欄を手入力または検索コピー入力によりするようになっている。
そして使用工具・器材表８１には、アイテム番号欄８１ａ、工具・器材名称欄８１ｂ、管理番号欄８１ｃ、個数欄８１ｄ、期間欄８１ｅ、搬出日欄８１ｆが用意されている。
【００５３】
なお、「工具管理より」と表示されたアイコンボタン７２は、工具管理部４２１、器材管理部４２２の機能を利用して、過去の工具管理記録、器材管理記録を工具管理ＤＢ４０１、器材管理ＤＢ４０３から検索するためのものである。
そのほかに作成した使用工具・器材管理表登録画面７１を印刷させるためのアイコンボタン５５Ｄ、画面を１つ前の画面に戻し操作するアイコンボタン５２Ｃ、使用工具・器材表８１をスクロールするためのスクロールアイコン５６ａ、５６ｂ、５６ｃ、要領書や報告書に記載登録するための「登録」と表示されたアイコンボタン５７Ｃが用意されている。
【００５４】
図９に使用計器・試験装置管理インターフェース３２５において、計器管理部５２１、試験装置管理部５２２の機能を用いて使用計器おおよび試験装置の管理を行なう際の使用計器・試験装置管理表登録画面９１の１例を示す。
ちなみに、この画面９１を用いて行なう作業の機能は、使用計器・試験装置リスト作成部３４９、使用計器・試験装置リスト編集部３６６でも可能となっている。
画面の左側に配置したアイコンボタン欄には、メインメニューを選択できるように各種のアイコンボタンが用意されている。その画面構成は、画面６０の説明と同じであり説明を省略する。
ただし、「点検データ記録」と表示されたアイコンボタン４４は、携帯端末装置１３で現場において入力した作業記録のうちの計器、試験装置の持ち込み記録、持ち出し記録を検索するためのものであり、使用計器・試験装置リスト編集部３６６の機能の一部として含まれているものである。
【００５５】
使用計器・試験装置管理表登録画面９１には、図９に示すようにアイテム番号欄９２ａ、機器名欄９２ｂ、員数欄９２ｃ、型式・仕様欄９２ｄ、備考欄９２ｅが用意された使用計器・試験装置表９２が設けられている。
【００５６】
そのほかに作成した使用計器・試験装置管理表登録画面９１を印刷させるためのアイコンボタン５５Ｅ、画面を１つ前の画面に戻し操作するアイコンボタン５２Ｄ、使用計器・試験装置表９２をスクロールするためのスクロールアイコン５６ａ、５６ｂ、５６ｃ、要領書や報告書に記載登録するための「登録」と表示されたアイコンボタン５７Ｄが用意されている。
【００５７】
点検隔離・管理インターフェース（実施側）３２７は、点検・隔離部（管理側）２２７の一部機能のみが許可され、点検・隔離ＤＢ２０７および工程ＤＢ２０８のデータの更新機能は許されていない、つまり、点検・隔離ＤＢ２０７の情報を検索して閲覧できる点検・隔離情報閲覧部３７１、工程ＤＢ２０８の情報を閲覧できる工程情報閲覧部３７２、点検・隔離管理部（管理側）２２７から通知された点検・隔離情報の収集をする点検・隔離情報収集部３７３、作業票ＤＢ２０６の作業タグ情報２０６ｂを検索して閲覧できる作業票閲覧部３７４を有している。
【００５８】
工程管理インターフェース（実施側）３２８は、工程管理部（管理側）２２８の一部機能のみ許可され、工程ＤＢ２０８の情報の閲覧、既に提出した要領書に添付した工程表の変更を申請して工程表の変更許可を受ける機能を有している。そして、管理側にて工程管理部（管理側）２２８を用いて変更が決定された工程表を工程ＤＢ２０８に反映する。
【００５９】
作業者登録部３２９は、前記した実施側および管理側の作業人員（この中には実施側の作業員の外に実施側の現場責任者、現場代理人など直接に作業は行わないが、現場の作業を指揮、監督する実施側の者や、管理側の工事立会者、管理側の作業者などを含む）の氏名、所属、資格、登録期間、個人ＩＤカード番号、個人ＩＤカードに添付されたＲＦＩＤタグのＩＤ情報などを作業者ＤＢ３０４に登録管理する機能である。この機能は、原則的に管理側で行なわれ、この作業者登録部３２９の機能の一部である申請、承認手続き機能を使って、実施側からの作業人員の変更、新規追加の申請を受けて、管理側で承認してデータ登録する。
【００６０】
《隔離範囲設定方法の説明》
図１０、図１１を参照しながら適宜図１２から図１６を参照して作業要領書に記載する隔離範囲の設定の流れを説明する。
配管に接続されたポンプの保守点検工事を行うための弁の隔離処理を行なったり、水抜き操作を行なったりする処理のための作業要領をＰ＆ＩＤ情報２１１を用いて作成する技術は特開平９−９１３２７号公報に記載されているのでここでは、詳細に述べない。
そして、従来技術では示されていない電気機器の保守点検のため対象の機器を隔離するために電気回路的隔離処理を行なう際の隔離範囲の設定とそのための隔離箇所の設定を決める作業を支援するＥＣＷＤ情報２１３を用いた技術を以下に詳細に説明する。
【００６１】
図１０、図１１は実施側作業者が隔離範囲の境界となる隔離箇所を決める作業を支援する制御の流れを示すフローチャートである。実施側担当者は現場保守端末装置９を介して主に作業管理サーバ計算機２００と現場保守支援サーバ計算機３００を用いて処理することになるが、機能ブロックの構成上は、ＥＣＷＤインターフェース２４７がＥＣＷＤ隔離作業要領作成支援部２２５を用いて処理する。
ＥＣＷＤ隔離作業要領作成支援部２２５は、基本的な機能として、以下のものを含んでいる。
（１）図面検索機能
（検索条件入力による検索、図面相互検索、要素検索の機能を含む）
（２）検索条件に対応するＥＣＷＤ図面リスト生成機能
（３）選択図表示機能
（４）点検機器設定機能
（５）隔離箇所設定機能
（６）隔離伝播検索機能
（７）隔離確認機能
（８）切離し管理表生成機能
（９）印刷機能
（１０）検証機能
フローチャートの説明の中で随時前記した各機能を具体的に説明する。
【００６２】
点検機器を設定するためには、その機器が記載されている図面を検索する必要があるが、そのために図面検索機能として図１２に示すような検索入力画面２０が用意されている。検索入力画面２０には、「ＥＣＷＤ  図面検索」というタイトル表示２０ａの下に、検索条件入力用にプラント名を指定するプラント名欄２０ｂ、原子力発電所（プラント）には、例えば、１号機〜６号機という複数機の原子力発電設備が設置されていることが多いのでその号機を指定する号機欄２０ｃ、設備の大分類を指定する設備大分類欄２０ｄ、さらに、大分類の１項目でも図面枚数が多く分冊になっている場合には分冊を特定する分冊符号欄２０ｅが、設けられている。そして、前記検索条件入力欄の下に、検索された図面リストを表示する図面リスト表示ウインド２１が配置されている。また、入力された検索条件に従ってＥＣＷＤ図面を検索させ、図面リスト表示ウインド２１に表示させる「検索」と表示されたアイコンボタン２０ｆと、図面リスト表示ウインド２１に表示された図面リストの１つまたは複数を、マウスをクリックして指定して、指定された図面を表示させる「表示」と記載されたアイコンボタン２０ｇが用意されている。
【００６３】
ちなみに、設備の大分類の項目は、例えば、基本事項、原子炉系、放射線モニタ系、原子炉核計装系、計算機、タービン系、電気系、廃棄物処理系、共通、換気空調系、雑設備、送受電系、サービス設備などである。
なお、図面検索機能には、前記した機能の外に、各図面に記載されているシート番号（ＳＨ．Ｎｏ）で相互に呼び出し表示する図面相互検索機能、ＥＣＷＤの全図面またはリスト表示され図面を対象に、指定された要素、例えば、同一機種のスイッチが記載されている図面を抽出してリスト表示し、さらにリスト表示された図面を指定して表示させる要素検索機能を有する。そのために、図１２では記載されていないアイコンボタンが表示されている。
これらのアイコンボタンは、ＥＣＷＤ図面を表示している画面状態で表示される。
【００６４】
先ずステップＳ１１では、ＥＣＷＤ図面の選択を行なう。つまり、前記したように検索条件入力欄２０ｂ〜２０ｅからの入力を受け付け、リスト表示する。ステップＳ１２では、リスト表示されたＥＣＷＤ図面の中から点検機器を含む代表的なＥＣＷＤ図面（点検機器を代表するＥＣＷＤ図面）の指定を受け付ける。そして、ステップＳ１３では、関連図リストを生成する。ステップＳ１１からステップＳ１３が前記した図面検索機能と検索条件に対応するＥＣＷＤ図面リスト生成機能に対応する。
【００６５】
図１３の（ａ）に関連図面のリストを生成する検索方法を模式的に示す。初期表示図面（Ｂａｓｅ図面）２２には、配線が電気的に他の図面につながっている終端には図面とシート番号（ＳＨ．Ｎｏ）が付されている。この場合は、シート番号がａ、ｂ、ｃ、ｄである４枚の図面につながっている。そうすると、先ず、図面２２ａ（図面−ａ）が検索される。図面２２ａはシート番号がａ１、ａ２である２枚の図面につながっており、図面２２ｂ（図面−ａ１）と図面２２ｃ（図面−ａ２）が検索される。図面２２ｂには電気的に他の図面につながっていないので、図面２２ｂからのこれ以上の関連図面検索はない。また、図面２２ｃには電気的に初期表示図面２２（Ｂａｓｅ）につながっているだけなので、やはり、図面２２ｃからのこれ以上の関連図面検索はない。
次いで、同様に初期表示図面２２から図面２２ｄ（図面−ｂ）、図面２２ｅ（図面−ｂ１）、図面２２ｆ（図面−ｂ２）の関連図面検索、同様に初期表示図面２２から図面２２ｇ（図面−ｃ）、図面２２ｈ（図面−ｃ１）、図面２２ｉ（図面−ｃ２）の関連図面検索、初期表示図面２２から図面２２ｊ（図面−ｄ）、図面２２ｋ（図面−ｄ１）、図面２２ｍ（図面−ｄ２）の関連図面検索がなされる。その結果、図１３の（ｂ）に示すような関連図リスト２３が生成される。この関連図リスト２３では、最左欄の「図面」と表示された表示図面欄２３ａにその図面のシート番号が表示され、その右側の「遷移図面」と表示された関連図面欄２３ｂに関連図面のシート番号が表示される。
【００６６】
この表示された関連図リスト２３から操作者が、カーソルをマウスで移動させて、点検機器を含む当該図面を探し出し表示させて（前記した選択図表示機能に対応）、ＥＣＷＤ図面上で点検機器のシンボルをマウスでクリックして指定し、図示しない点検機器登録用のアイコンボタンをマウスでクリックする。そうすると、ステップＳ１４では、点検機器登録を受け付け、ステップＳ１５で点検機器をＥＣＷＤ図面上で識別しやすいように色替え表示する。これが前記した点検機器設定機能に対応する。
なお、ステップＳ１４での点検機器登録受付は、複数の機器の指定を受け付け可能としてある。
ステップＳ１６では、必要に応じて点検機器登録に付帯する情報の入力を受け付ける。
【００６７】
次いで、ステップＳ１７では、点検機器を起点にして再度関連図面の検索を行なう。この検索の流れを、図１４を用いて模式的に示す。
図１４において点検機器Ｘを設定したＥＣＷＤ図面を今回の関連図面検索における初期表示図面（Ｂａｓｅ図面）２４とする。そして、点検機器Ｘの電気信号の流れまたは電流の流れの下流側に隔離設定が可能な接続端子ＴＸがあるとする。点検機器Ｘを設定した後、ステップＳ１６において、接続端子ＴＸでさらに下流側に伝播しない設定、後記する設定条件「リフト」の処理をしたとする。
その後、初期表示図面２４を起点に関連図面検索をすると、点検機器Ｘに直接関与する図面のシート番号はａ０だけである。従って、図１４の（ａ）に示した各ＥＣＷＤ図面の右側に付した関連図リスト２５ａ〜２５ｄに示すように太線四角枠で示した関連図面、つまり、初期表示図面２４に関連する図面としては図面２４ａ（図面−ａ０）、図面２４ａ（図面−ａ０）に関連する図面として図面２４ｂ（図面−ａ１）、図面２４ｃ（図面−ａ２）が検索され、それ以上の検索は無くなる。その結果、図１４の（ｂ）に示す関連図リスト２５が得られる。
【００６８】
操作者は、関連図リスト２５に従って、Ｂａｓｅ図面２４から点検機器Ｘを起点にして、隔離箇所の候補を探して、次々と、隔離箇所の設定と隔離状態の設定を入力する。そして、ステップＳ１８では、その隔離箇所の設定と隔離状態の設定の入力（隔離範囲設定入力）を受け付ける。このステップＳ１８が前記した隔離箇所設定機能に対応する。
ステップＳ１９では、関連図面の再検索を行なう。つまり、関連図リスト２５は、隔離範囲設定入力に応じて、自動的にＢａｓｅ図面２４を起点に繰り返し、関連図リスト２５の表示を更新していく。その結果、関連図面の数は変わっていく。ステップＳ２０において図示しない「隔離範囲決定」と表示されたアイコンボタンをクリックされたか否か（隔離範囲決定？）をチェックする。隔離範囲決定の場合（Ｙｅｓ）はステップＳ２１へ進み、そうでない場合（Ｎｏ）はステップＳ１８へ戻る。
ここでステップＳ１９が前記した隔離伝播検索機能に対応する。
【００６９】
操作者は前記した隔離範囲設定の入力を、要領書管理部（実施側）３２２の図書検索部２４４の機能を利用して、過去の要領書を要領書ＤＢ３０２から検索して、その中に記載されている後記する養生リストを参照して行なうこともできる。
図１５を参照しながら隔離範囲の設定入力の詳細な方法について説明する。
ちなみに、符号番号を示す意味で、図中、番号の前に符号「＃」を付してある。
図１５の（ａ）のシート番号ａ（ＳＨ＃ａ）のＥＣＷＤ図面２７Ａの例では、符号２８ｃで示した電気供給線Ｒ（線＃Ｒ）、電気供給線Ｔ（線＃Ｔ）に対して、スイッチ（以下、略してＳＷと表記）２９Ａが接続してシート番号ｄ（ＳＨ＃ｄ）の図面に接続し、電気供給線Ｒ（線＃Ｒ）、電気供給線Ｔ（線＃Ｔ）から分岐した符号２８ｄで示した電気供給線Ｒ（線＃Ｒ）、電気供給線Ｔ（線＃Ｔ）に２連スイッチ２９Ｂ、ヒューズ３０、スイッチ２９Ｃが並列に接続している。２連スイッチ２９Ｂの一方の下流側にのみ「機器−ｃ」と表示された機器３１Ａが接続端子Ｓ１、Ｓ２で接続している。そして、機器３１Ａからはそれ以上他の機器への電気供給や電気信号の出力が無いことが示されている。そして、機器３１Ａの詳細なＥＣＷＤ図面はＳＨ＃ｃｃの図面を参照と示されている。
同様に、ヒューズ３０の下流側には「機器−ｂ」と表示された機器３１Ｂが接続端子Ｓ１、Ｓ２で接続している。そして、機器３１Ｂからはそれ以上他の機器への電気供給や電気信号の出力が無いことが示されている。そして、機器３１Ｂの詳細なＥＣＷＤ図面はＳＨ＃ｂｂの図面を参照と示されている。
スイッチ２９Ｃの下流側には「機器−ａ」と表示された機器３１Ｃが接続端子Ｓ１、Ｓ２で接続している。そして、機器３１Ｃからはそれ以上他の機器への電気供給や電気信号の出力が無いことが示されている。そして、機器３１Ｃの詳細なＥＣＷＤ図面はＳＨ＃ａａの図面を参照と示されている。
【００７０】
ここで、機器３１Ｂ、３１Ｃに対し符号３０ａの操作で示したように点検機器設定の登録をする。そして、この点検に当たっては、隔離箇所候補である各接続端子（Ｓ１、Ｓ２）は符号３０ｂの操作で示したように接続状態のまま、つまり「伝播」として設定するとする。
ここで、隔離箇所の候補である接続端子やスイッチにおいて隔離状態の設定は、以下の５種類が用意されている。
（１）「入」：スイッチなどの機器をオンの状態に設定する。この場合はこの箇所で隔離されず、次の要素まで伝播が拡張する。
（２）「切」：スイッチなどの機器をオフの状態に設定する。この場合はこの箇所で隔離され、次の要素に伝播しない。
（３）「リフト」：接続端子においてケーブルを外し、電気的に導通しない状態にして末端処理をする。この場合はこの箇所で隔離され、次の要素に伝播しない。
（４）「伝播」：接続端子においてケーブルをそのまま接続状態とする。この場合はこの箇所で隔離されず、次の要素に伝播が拡張する。
（５）「ジャンパ」：接続端子においてケーブルを外すかまたは外さないで、ジャンパ線で他の要素に接続する。この場合、接地も含み、ＥＣＷＤ図面にジャンパ線で結ぶ一時的な回路を設定することになる。
【００７１】
ステップＳ１８に対する操作者の隔離範囲設定の入力において、操作者が点検機器を設定すると、点検機器を起点にして、接続される要素（機器など）を順次たどり、次の要素まで点検機器とは異なる色に色替をし、その要素を点滅させる。このようにすることにより、隔離箇所の要素を操作者が容易に画面中から見つけることができる。このとき、１連のＥＣＷＤ図面の関連図面の中で複数の点検機器が登録された場合は、点検機器ごとに異なる色を設定するようにすると良い。そうすることにより、その要素がどの点検機器に関係しているのか分かりやすい。その代わりにＥＣＷＤ図面上で、例えば、矢印符号のポインタの先端を点滅している隔離箇所の候補の要素に合わせると、自動的に吹き出し記号中に点検機器の番号が表示されるようにしても良い。
この例では、機器３１Ｃに対してはスイッチ２９Ｃまで色替えされ、スイッチ２９Ｃを表すシンボルが点滅する。操作者は、符号３０ｃの操作で示したようにスイッチ２９Ｃを「切」の隔離状態に設定する。その結果、それ以上スイッチ２９Ｃから上流への伝播拡張は停止する。
【００７２】
機器３１Ｂに対しては、ヒューズ３０は非隔離機器なのでそのまま伝播し、関連図面との境界を示す画面中に表示された「ＳＨ＃ｂ」の符号が点滅する。操作者が、「ＳＨ＃ｂ」の符号をクリックすると、色替えされた次の要素を含む関連図面２７Ｂ（図１５の（ｂ）参照）に遷移する。そして、スイッチ２９Ｄまでが色替されスイッチ２９Ｄのシンボルが点滅する。操作者は、スイッチ２９Ｄを符号３０ｄの操作で示したようにスイッチ２９Ｄを「切」の隔離状態に設定する。
なお、隔離範囲設定の入力忘れを防止するため、図面間の遷移を許す場合は、その前に自図面内における点滅している要素に対する隔離伝播の設定が完了していることをチェックするようにし、誤って操作者がその前に図面間の遷移をする操作をした場合は、吹き出し表示などにより警告のガイド表示をすると良い。
【００７３】
こうしてＥＣＷＤ図面２７Ａの機器３１Ｂ、３１Ｃを点検機器とした場合の、隔離範囲の設定が完了する。ステップＳ２０において隔離範囲決定の場合（Ｙｅｓ）は、ステップＳ２１へ進み、隔離範囲に関係する図面のリストを作成する。
ステップＳ２２では、隔離範囲に関係する図面の境界の要素または接続端子（隔離箇所）に対する隔離状態の設定忘れが有か否かチェックする。有の場合（Ｙｅｓ）はステップＳ２３へ進み、当該図面を表示して隔離状態の設定を促し、設定入力を受付けステップＳ２２へ戻る。このとき、隔離状態が未設定の隔離箇所のシンボルを点滅させると良い。
ステップＳ２２において隔離状態の設定が無い場合（Ｎｏ）は次へ進み、操作者が隔離範囲に関係する図面を、図面間を遷移させて隔離の伝播の見落としチェック、整合性チェックを操作者に可能とする。ステップＳ２２、Ｓ２３が前記した隔離確認機能に対応する。
【００７４】
このとき、画面には、「隔離範囲登録」、「隔離範囲修正」、「一時保存」と表示された３つのアイコンボタンが表示されている。ステップＳ２４では前記３つのアイコンのいずれが選択操作されたかをチェックする。ステップＳ２４において、「一時保存」のアイコンがクリックされたことを検知した場合は、ステップＳ２５に進み、ワークファイル９ａ（図１参照）にこの状態の隔離範囲に関係する図面のリスト、点検機器の設定、隔離箇所の設定および隔離状態の設定のデータを保存し、さらに、ＥＣＷＤインターフェース２４７の隔離作業要領作成支援機能の動作状態データも含めて格納して終了する。ワークファイル９ａに保存された一時保存ファイルを改めて起動することにより、継続してこの作業を続けることができる。この一時保存機能のアイコンボタンは、ステップＳ１２以降の画面に用意するようにしておくと都合が良い。
ステップＳ２４において「隔離範囲登録」のアイコンボタンがクリックされた場合は、ステップＳ２６へ進み、切離し管理表を生成して終了する。ここで図１６に切離し管理表３１の１例を示す。この切離し管理表３１は接続端子の場合の例であり、今回作成した切離し管理表３１の通し番号、ＥＣＷＤ図面の番号（ＥＣＷＤ．ＮＯ）、盤番号（盤ＮＯ）、端子台番号（または座標）、Ｃａｂｌｅ．ＮＯ（または端子ＮＯ）、隔離処置（設定状態）の情報が記入される。
なお、図示しないがこの隔離箇所が関係するステップＳ１４で登録した点検機器の機器名称と機器番号が自動的に付帯情報として記録される。
ステップＳ２４において「隔離範囲修正」のアイコンボタンがクリックされた場合は、ステップＳ１８へ戻る。
なお、ステップＳ１１の操作以降の各ステップの操作者の操作入力の履歴情報を全て保存するようにし、一時保存した場合も、操作を連続して続けている場合にも、任意のステップに戻り、点検機器の指定追加、点検機器の指定誤りの取り消しなど、隔離箇所の設定の取り消しなど、ステップＳ１１から改めて作業を行なわずとも修正作業がしやすいようにしても良い。
【００７５】
なお、本実施の形態におけるフローチャートのステップＳ１４は本発明（実施形態）の対象機器設定手段を、ステップＳ１８は隔離状態設定手段と隔離伝播検索手段を、ステップＳ２１は隔離範囲表示手段を構成する。
【００７６】
《養生リスト管理表の作成方法の説明》
次に、実施側の担当者が現場保守端末装置９を介して現場保守支援サーバ計算機３００の養生リスト作成部３４７により、ＥＣＷＤ隔離作業要領作成支援部２２５と連携して前記作成された切離し管理表３１にもとづいて養生リスト管理表を作成する作業支援の制御の流れを説明する。
図１７は養生リスト管理表を作成する作業支援の制御の流れを説明するフローチャートであり、図１８は作成した養生リスト管理表を登録する画面例である。
【００７７】
ステップＳ３１では、切離し管理表を読み込み、ＥＷＣＤ図面の図面番号にもとづいて隔離箇所に該当する図面を図面ＤＢ２０３のＥＣＷＤ情報２１３から検索し（ステップＳ３２）、当該図面を表示する（ステップＳ３３）。そして、ステップＳ３４では、隔離箇所に対して上流、下流のいずれが隔離範囲側かの指定入力を受け付ける。そして、隔離範囲内に含まれる側に伝播による関連図面検索を行なう（ステップＳ３５）。この作業を全ての隔離箇所に対して行なう。そのために、全ての切離し管理表に対してＳ３１からステップＳ３５の作業を繰り返す。ステップＳ３６では、隔離箇所に該当する図面が終了したか、つまり、全ての切離し管理表に対してＳ３１からステップＳ３５の作業が終了したか否かをチェックする。終了していない場合（Ｎｏ）はステップＳ３１に戻り、終了している場合（Ｙｅｓ）はステップＳ３７へ進む。
【００７８】
ステップＳ３７では、隔離範囲の内側に隔離箇所が含まれているか否かをチェックする。含まれている場合（Ｙｅｓ）は、ステップＳ３８へ進み、該当する隔離箇所を図面上で表示し、「隔離箇所のチェック必要」のメッセージを出力して終了する。ステップＳ３７において含まれていない場合（Ｎｏ）は、ステップＳ３９へ進み、「隔離箇所は適切」とのメッセージを出力して、養生リスト管理表を生成し（ステップＳ４０）、終了する。
ここで、隔離範囲の中に隔離箇所が含まれるということは、無駄な隔離箇所が存在することを意味し、隔離処理の数を増やすだけの場合もあり、作業が煩雑になる。
しかし、逆に点検機器ごとに小さな隔離範囲を設定して、点検機器の保守点検が終了するごとに細かく、隔離箇所を復旧していくことにより、復旧の手順に関係なく保守点検の完了した機器ごとに作動可能な状態に設定して、複数の隔離箇所があって、最上流の隔離箇所が工程順を誤って復旧されても、保守点検中の下流の機器に通電するのを防止することができるという考え方もある。
なお、ステップＳ３７〜Ｓ３９がＥＣＷＤ隔離作業要領作成支援部２２５の前記した検証機能に対応する。
ＥＣＷＤ隔離作業要領作成支援部２２５による隔離範囲設定結果の検証機能には、このほかに複数部門、例えば、設計部門と検査部門の作成した同一機器に対する隔離計画とを付き合わせて相互比較し、相違箇所をＥＣＷＤ図面上に表示する機能も含まれている。
このような機能を用意することにより、齟齬のない隔離計画を立てることができる。
【００７９】
図１８に養生リスト作成部３４７において、点検対象機器に対する養生リスト管理表を作成したり、養生リスト編集部３６４において隔離処理の作業記録を編集したりする際の点検機器・養生リスト管理表登録画面３３の１例を示す。この例は、ＥＣＷＤ図面にもとづく隔離処理の養生リスト管理表の例であり、Ｐ＆ＩＤ図面にもとづく弁操作など養生リストはこれと書式は当然異なるが、ここでは省略する。
画面の左側に配置したアイコンボタン欄には、メインメニューを選択できるように各種のアイコンボタンが用意されている。その画面構成は、画面６０の説明と同じであり説明を省略する。
【００８０】
点検機器・養生リスト管理表登録画面３３には、図１８に示すように点検対象機器管理表３４と養生リスト管理表３５の２つの表から構成されている。点検対象機器管理表３４は、「Ｎｏ．」と表示された項目番号欄３４ａ、「機器名称」と表示された機器名称欄３４ｂ、「機器番号」と表示された機器番号欄３４ｃが用意されている。欄３４ｂ、欄３４ｃのデータは前記した切離し管理表３１のデータを呼び出したとき、付帯情報である機器名称、機器番号も読み込んでいるので、図示しないマウスの右クリック状態におけるメニューの「機器名称入力」を選択してクリックすると自動的に入力される。
【００８１】
そして養生リスト管理表３５には、「Ｔａｇ  Ｎｏ．」と表示された作業タグ１５（図１参照）に付する番号であるタグ番号欄３５ａ、それに続く隔離箇所に関する情報の記載欄３５ｂ〜３５ｈ、その隔離および復旧の作業の作業記録を記載する記録欄３６、影響を及ぼす機器などを記載する備考欄３９が用意されている。
ちなみに、欄３５ｂ〜３５ｈのデータは読み込んだ切離し管理表から読み込まれ自動的に入力される。欄３５ｂはＥＣＷＤ図面の番号（ＥＣＷＤ．ＮＯ）、欄３５ｃは盤番号（盤ＮＯ）、欄３５ｄは端子台番号（端子台Ｎｏ）、欄３５ｅは座標、欄３５ｆはケーブル番号（ケーブルｅ．ＮＯ）、欄３５ｇは端子番号（端子ＮＯ）、欄３５は隔離処置（設定状態）が入力される。
なお、欄３５ａのタグ番号は、管理側において作業票作成発行管理部２７１を用いて作業票を発行する際に、作業タグ発行支援部２７２にて設定される番号であり、作業記録を入力する際に入力されるものであり、要領書提出段階では空欄になっている。
【００８２】
「実施及び確認」と表示された記録欄３６は、さらに「隔離確認」と表示された隔離時記録欄３７と、「復旧確認」と表示された復旧時記録欄３８から構成されており、それぞれ実施日のデータを入力する実施日欄３７ａ、３８ａ、実施者名を入力する実施者欄３７ｂ、３８ｂ、立会者名を記入する立会者欄３７ｃ、３８ｃが用意されている。
【００８３】
そのほかに作成した点検対象機器管理表３４、養生リスト管理表３５を印刷させるためのアイコンボタン５５Ａ、５５Ｂ、画面を１つ前の画面に戻し操作するアイコンボタン５２Ａ、点検対象機器管理表３４、養生リスト管理表３５をスクロールするためのスクロールアイコン５６ａ、５６ｂ、５６ｃ、要領書や報告書に登録するための「登録」と表示されたアイコンボタン５７Ａが用意されている。
【００８４】
なお、「Ｐ＆ＩＤ図面より」、「ＥＣＷＤ図面より」と表示されたアイコンボタン５３Ａ、５３Ｂにより、Ｐ＆ＩＤ隔離作業要領作成支援部２２３、ＥＣＷＤ隔離作業要領作成支援部２２５の機能を利用して、点検対象機器、隔離箇所に関するデータを見るために検索をすることができる。「作業票より」と表示されたアイコンボタン５３Ｃにより、作業票ＤＢ２０６にアクセスして作業タグ情報２０６ｂを検索することができる。
【００８５】
《作業記録情報の作成と取得方法の説明》
次に、図１および図１９を参照しながら作業タグの発行とその後の管理においてＲＦＩＤタグの利用の方法を説明する。
図１に示すように作業タグ１５にはＲＦＩＤタグ１６Ａが貼付されており、各作業員１８の胸に付ける個人ＩＤカード１９にはＲＦＩＤタグ１６Ｂが貼付または内蔵されている。
図１９の流れ図は、実施側の担当者、管理者側の担当者、現場の実施側の担当者の各作業の流れ（矢印符号⇒で表示）とプラント設備管理保守支援システム１による制御の流れ（矢印符号→で表示）を示したフローチャートである。
【００８６】
ステップＳ５１では、実施側の担当者が要領書管理部（実施側）３２２を用いて要領書を作成し、上司の承認を得て、電子情報の形で、管理側に提出する（実施側要領書作成）。
ステップＳ５２では、要領書管理部（管理側）２４１が受領し、管理側の担当者が調査し、上司の承認を得て、実施側に承認返却する（管理側要領書承認）。そうすると要領書管理部（実施側）３２２の承認管理部３４１が要領書ＤＢ３０２にその要領書を登録する（ステップＳ５３（要領書ＤＢへ格納））。
ステップＳ５４では、管理側の担当者は作業票管理部（管理側）２２９を用いて要領書ＤＢ３０２の当該の要領書を読み出し、作業票作成発行管理部２７１を利用して、１つの作業件名に対して作業ステップごとの作業内容を指示する作業票を作成する。このときその作業票の内容に作業タグ１５の取付け作業、つまり隔離処理の作業が含まれている場合は、要領書の養生リスト管理表３５（図１８参照）にもとづいて作業タグ１５の発行も行なう（管理側作業票作成（作業タグの発行））。このとき、作業タグ１５の発行の場合、作業タグ発行支援部２７２を利用し作業タグ情報を生成するが、ＲＦＩＤタグプリンタ７ｃを介してＩＤ情報を読み出し、作業タグ情報とＩＤ情報を関係付ける。
ステップＳ５５では、作業票作成発行管理部２７１は、生成された作業票情報２０６ａを作業票ＤＢ２０６に登録する（作業票ＤＢへ格納）。
【００８７】
ステップＳ５６では、実施側の作業者が現場代理人、管理側の立会者らの立会いの下で隔離箇所の切離し作業を実施し、作業タグ１５を取り付ける（隔離箇所の切離し作業の実施（作業タグ取り付け））。その後、ステップＳ５７において、実施側の作業者が携帯端末装置１３を用いて、隔離箇所の切離し作業に対する作業記録を作成する。その際、作業タグ１５のＲＦＩＤタグ１６Ａを読み取り、作業タグＩＤを特定し、その作業タグ１５に係る作業タグ情報と関係付け、さらに実施側の作業者および現場代理人、管理側の立会者の個人ＩＤカード１９のＲＦＩＤタグ１６Ｂの情報を読み出し、それぞれ、作業者、現場代理人、立会者を特定する情報として作業記録情報に加え、作業管理サーバ計算機２００に送信する（携帯端末装置から作業記録情報を送信）。
【００８８】
ステップＳ５８では、点検・隔離管理部（管理側）２２７の作業タグ管理部２３１が受信し、工程管理インターフェース２３２により工程ＤＢ２０８の工程情報と参照して、点検・隔離ＤＢ２０７の作業記録情報に対応した点検・隔離情報を更新する（点検・隔離ＤＢに反映）。
ステップＳ５９では、点検・隔離管理部（管理側）２２７は実施側にその作業記録情報を転送して、対応した点検・隔離情報を更新したことを通知する（実施側に通知）。
ステップＳ６０では、点検・隔離インターフェース（実施側）３２７の点検・隔離情報収集部３７３が作業記録情報を収集する（作業記録情報収集）。
その後、点検対象機器の保守点検作業がなされる。
【００８９】
点検対象機器の保守点検作業が完了すると、ステップＳ６１では、実施側の作業者が現場代理人、管理側の立会者らの立会いの下で隔離箇所の復旧作業を実施し、作業タグ１５を取り外す（隔離箇所の復旧作業の実施（作業タグ回収））。その後、ステップＳ６２において実施側の作業者が携帯端末装置１３を用いて、ステップＳ６７と同様に隔離箇所の復旧作業に対する作業記録を作成し、作業管理サーバ計算機２００に送信する（携帯端末装置から作業記録情報を送信）。その後、制御はステップＳ６２からステップＳ６３に移行する。なお、ステップＳ６１の作業の後は、ステップＳ６６（養生リストの編集）の作業へと流れる。
【００９０】
ステップＳ６３では、点検・隔離管理部（管理側）２２７の作業タグ管理部２３１が受信し、工程管理インターフェース２３２により工程ＤＢ２０８の工程情報と参照して、点検・隔離ＤＢ２０７の作業記録情報に対応した点検・隔離情報を更新する（点検・隔離ＤＢに反映）。
ステップＳ６４では、点検・隔離管理部（管理側）２２７は実施側にその作業記録情報を転送して、対応した点検・隔離情報を更新したことを通知する（実施側に通知）。
ステップＳ６５では、点検・隔離インターフェース（実施側）３２７の点検・隔離情報収集部３７３が作業記録情報を収集する（作業記録情報収集）。
なお、ステップＳ６０、ステップＳ６５で収集された隔離箇所の切離し作業および復旧作業に対する作業記録情報は、現場保守支援サーバ計算機３００の図示しない記憶装置の前もって設定された領域に記憶され、前記した点検・隔離管理インターフェース（実施側）３２７および養生リスト編集部３６４を用いてアクセスできるようになっている。
【００９１】
ステップＳ６６では、実施側の担当者が報告書管理部（実施側）３２３の養生リスト編集部３６４を利用して図１８に示したような養生リスト管理表の記録欄３６に作業記録情報を転記する（養生リスト編集）。具体的には、ステップＳ６０およびステップＳ６５で収集された作業記録情報を読み出し、転記する。
その後、報告書のその他の項目の内容、例えば、取替え部品リスト、使用計器・試験装置リスト、使用工具・器材リストについても編集して、報告書を作成する（その他の項目の編集をして報告書作成）。
【００９２】
本実施形態におけるフローチャートのステップＳ５７およびステップＳ６２は、本発明（実施形態）の作業記録作成手段を構成する。
【００９３】
以上、本実施形態によれば、養生リスト作成部３４７において、切離し管理表３１にもとづいて保守点検対象機器の名称や機器番号、隔離箇所、その隔離状態などの点検・隔離情報を含む点検対象機器管理表３４や養生リスト管理表３５を作成するので、作業者の負担が軽減する。また、切離し管理表３１は、Ｐ＆ＩＤインターフェース２４５、単線結線図インターフェース２４６、ＥＣＷＤインターフェース２４７を用いて、ＣＡＤ情報の図面から点検機器の含まれる図面とそれに関連する図面を検索し、図面上で点検機器を設定して、隔離伝播の検索をさせることができ、隔離箇所の設定が容易に行なえる。特に、これまでＥＣＷＤ図面を用いた隔離範囲の設定支援が行なわれていなかったのをＥＣＷＤインターフェース２４７で行なえるようになり、作業者の負担が軽減され、転記などのヒューマンエラーも無くすことができる。
【００９４】
さらに、実施側が要領書管理部（実施側）３２２を用いて作成、提出した要領書の養生リスト管理表３５にもとづいて、管理側が作業票管理部（管理側）２４１を用いて作業票（作業指示書）を発行する際の作業タグの発行を的確に間違い無く行なえる。
特に作業タグ１５にＲＦＩＤタグ１６Ａを貼付し、隔離箇所の隔離処理、復旧作業の作業記録の作成を作業タグ１５に貼付したＲＦＩＤタグ１６ＡのＩＤ情報読み取りによって行なうので、手入力による煩雑さの低減や、ヒューマンエラーの誘発を防止できる。
また、回収された作業タグ１５をＲＦＩＤタグリーダで読み、作業タグ管理部２３１の作業記録と照らし合わせることにより、回収忘れの作業タグ１５を容易に検知できる。
【００９５】
本実施形態では、各サーバ計算機１００、２００、３００、４００，５００に機能を分散して搭載し、１つのサーバ計算機の機能を使用しているときに、関連して他のサーバ計算機の機能を利用するときはインターフェースプログラムを介して利用することとしたが、それに限定されるものではない。各サーバ計算機の機能を１つの計算機に集中し、１つの計算機で各種ＤＢを管理するようにしても良い。
また、工具、器材、計器、試験装置にＲＦＩＤタグを貼付して、その中に書き込まれた情報をＲＦＩＤタグリーダを搭載した携帯端末装置１３で読み出して、持ち込み記録、持ち出し記録を収集するようにしても良い。
【図面の簡単な説明】
【００９６】
【図１】本発明の実施形態に係るプラント設備管理保守支援システムにおける顧客側（管理側）システムと業者側（実施側）システムの全体構成を示すブロック図である。
【図２】設備管理サーバ計算機の構成と機能を説明する図である。
【図３】（ａ）は設備情報の内容項目の１例を示す図であり、（ｂ）は発注情報の内容項目の１例を示す図である。
【図４】作業管理サーバ計算機の構成と機能を説明する図である。
【図５】現場保守支援サーバ計算機の構成と機能を説明する図である。
【図６】（ａ）は工具・器材管理サーバ計算機の構成と機能を説明する図であり、（ｂ）は計器・試験装置管理サーバ計算機の構成と機能を説明する図である。
【図７】取替部品管理を行なう際の取替部品管理表登録画面の構成を示す図である。
【図８】使用工具および使用器材の管理を行なう際の使用工具・器材管理表登録画面の構成を示す図である。
【図９】使用計器おおよび試験装置の管理を行なう際の使用計器・試験装置管理表登録画面の構成を示す図である。
【図１０】実施側作業者が隔離範囲の境界となる隔離箇所を決める作業を支援する制御の流れを示すフローチャートである。
【図１１】実施側作業者が隔離範囲の境界となる隔離箇所を決める作業を支援する制御の流れを示すフローチャートである。
【図１２】検索入力画面の構成を示す図である。
【図１３】（ａ）は関連図面のリストを生成する検索方法を模式的に示す図であり、（ｂ）は関連図リストを説明する図である。
【図１４】（ａ）は点検機器を起点にして関連図面の検索を行なう流れを説明する図であり、（ｂ）は検索された関連図面のリスト説明する図である。
【図１５】隔離範囲の設定を説明するＥＣＷＤ図面であり、（ａ）は点検対象機器として設定された機器を含む図面を示す図であり、（ｂ）は検索された関連図面において隔離状態の設定を説明する図である。
【図１６】切離し管理表の構成を示す図である。
【図１７】養生リスト管理表を作成する作業支援の制御の流れを説明するフローチャートである。
【図１８】作成された養生リスト管理表の構成を示す図である。
【図１９】実施側の担当者、管理者側の担当者、現場の実施側の担当者の各作業の流れと、プラント設備管理保守支援システムによる制御の流れを示したフローチャートである。
【符号の説明】
【００９７】
１      プラント設備管理保守支援システム
３      ネットワーク
５      現場ネットワーク
７      管理端末装置
７ａ、９ａ    ワークファイル
７ｂ    プリンタ
７ｃ    ＲＦＩＤタグプリンタ
９      現場保守端末装置
１１    無線ターミナル
１３    携帯端末装置
１００  設備管理サーバ計算機
１０１  設備情報ＤＢ
１２１  設備管理部
２００  作業管理サーバ計算機
２０１  発注情報ＤＢ
２０３  図面ＤＢ
２０５  保全管理ＤＢ（保全データベース）
２０６  作業票ＤＢ
２０６ａ  作業票情報
２０６ｂ  作業タグ情報
２０７  点検・隔離ＤＢ
２０８  工程ＤＢ
２１１  Ｐ＆ＩＤ情報
２１２  単線結線図情報
２１３  ＥＣＷＤ情報
２１４  プラント運用ルール情報
２２１  発注情報管理部（管理側）
２２２  図面管理部（管理側）
２２３  Ｐ＆ＩＤ隔離作業要領作成支援部
２２４  単線結線図隔離作業要領作成支援部
２２５  ＥＣＷＤ隔離作業要領作成支援部
２２６  プラント運用ルールチェック部
２２７  点検・隔離管理部（管理側）（隔離作業管理支援手段）
２２８  工程管理部（管理側）
２２９  作業票管理部（管理側）（作業指示書発行手段）
２３１  作業タグ管理部（第１の作業記録取得手段）
２４１  要領書管理部（管理側）
２４２、２５２、３４１、３６１  承認管理部
２４３、２５３  コメント編集部
２４４  図書検索部
２４５  Ｐ＆ＩＤインターフェース
２４６  単線結線図インターフェース
２４７  ＥＣＷＤインターフェース
２５１  報告書管理部（管理側）
２５４  設備更新情報生成部
２６１  点検・隔離管理インターフェース（管理側）
２６２  作業タグ管理インターフェース
２７１  作業票作成発行管理部
２７２  作業タグ発行支援部（ＲＦＩＤタグ発行手段）
３００  現場保守支援サーバ計算機
３０１  工事・作業件名ＤＢ
３０２  要領書ＤＢ
３０３  報告書ＤＢ
３０４  作業者ＤＢ
３２１  工事・作業件名管理部（管理側）
３２２  要領書管理部（実施側）（要領書作成支援手段）
３２３  報告書管理部（実施側）（報告書作成支援手段）
３２４  取替部品登録管理インターフェース
３２５  使用計器・試験装置管理インターフェース
３２６  使用工具・器材管理インターフェース
３２７  点検・隔離管理インターフェース（実施側）
３２８  工程管理インターフェース（実施側）
３２９  作業者登録部
３４７  養生リスト作成部
３４８  取替部品リスト作成部
３４９  使用計器・試験装置リスト作成部
３５０  使用工具・器材リスト作成部
３５１  プラント運用ルールインターフェース
３６４  養生リスト編集部
３６５  取替部品リスト編集部
３６６  使用計器・試験装置リスト編集部
３６７  使用工具・器材リスト編集部
３７１  点検・隔離情報閲覧部
３７２  工程情報閲覧部
３７３  点検・隔離情報収集部（第２の作業記録取得手段）
３７４  作業票閲覧部
４００  工具・器材管理サーバ計算機
４０１  工具管理ＤＢ
４０３  器材管理ＤＢ
４２１  工具管理部
４２２  器材管理部
５００  計器・試験装置管理サーバ計算機
５０１  計器管理ＤＢ
５０３  試験装置管理ＤＢ
５２１  計器管理部
５２２  試験装置管理部
【図１】
2008191725.tif 000003
【図２】
2008191725.tif 000004
【図３】
2008191725.tif 000005
【図４】
2008191725.tif 000006
【図５】
2008191725.tif 000007
【図６】
2008191725.tif 000008
【図７】
2008191725.tif 000009
【図８】
2008191725.tif 000010
【図９】
2008191725.tif 000011
【図１０】
2008191725.tif 000012
【図１１】
2008191725.tif 000013
【図１２】
2008191725.tif 000014
【図１３】
2008191725.tif 000015
【図１４】
2008191725.tif 000016
【図１５】
2008191725.tif 000017
【図１６】
2008191725.tif 000018
【図１７】
2008191725.tif 000019
【図１８】
2008191725.tif 000020
【図１９】
2008191725.tif 000021